(57)【要約】      （修正有）【課題】組み立ての際、規制バネを簡易に装着できる遊技盤固定装置を提供する。【解決手段】固定装置は、ベース部材１と、ベース部材１の一側に第一支軸２によって回動自在に軸着され遊技盤１０４の側縁部を受け入れる嵌合凹部２５が設けられた狭着部材３と、挟着部材３に第二支軸５によって回動自在に軸着されたロック部材６とを備える。ベース部材１には、第一支軸２を曲率中心とする円弧状長孔１７と円弧状長孔１７と連続し円弧状長孔１７とは異なる方向に延びるロック孔１８が穿設されている。ロック部材６には、ベース部材１の円弧状長孔１７とロック孔１８を摺動するロックピン７が設けられている。そして、ロック部材６のロックピン７がベース部材１のロック孔１８に嵌まることで、挟着部材３の回動が所定位置に固定される。【選択図】図５
2016052397.tif 000002
【特許請求の範囲】
【請求項１】
遊技機本体前面の所定箇所に取着される基板と該基板の両側縁の各々から起立する側板とによって形成されたベース部材と、前記ベース部材の両側板に第一支軸によって回動自在に軸着され遊技盤の側縁部を受け入れる嵌合凹部が設けられた狭着部材と、前記挟着部材に第二支軸によって回動自在に軸着され該狭着部材の回動をガイドすると共に所定位置に固定させるロック部材とを備えた遊技盤固定装置であって、
前記ベース部材の側板には、前記第一支軸を曲率中心とする円弧状長孔が穿設されていると共に、該円弧状長孔と連続し該円弧状長孔とは異なる方向に延びるロック孔が穿設されており、他方、前記ロック部材には、前記ベース部材の円弧状長孔とロック孔を摺動するロックピンが設けられ、
前記ロック部材のロックピンが前記ベース部材のロック孔に嵌まることで、前記挟着部材の回動が所定位置に固定されるようにしたことを特徴とする遊技盤固定装置。
【請求項２】
前記ロック孔は、前記第二支軸を曲率中心とする円弧状に形成されていることを特徴とする請求項１記載の遊技盤固定装置。
【発明の詳細な説明】
【技術分野】
【０００１】
本発明は、遊技機本体前面に遊技盤を装着するために使用される遊技盤固定装置に関するものである。
【背景技術】
【０００２】
一般に、入賞装置や表示装置などが配置された遊技盤を遊技機本体前面に形成された遊技盤収納凹部にその前側から着脱自在に取り付けるため、遊技盤固定装置が用いられている。そして、一般的なパチンコ遊技機には、遊技盤収納凹部の左側の上下に挟装部材が設けられると共に、遊技盤収納凹部の右側の上下に遊技盤固定装置が設けられており、遊技盤の左側縁部を挟装部材に差し込み、続いて、この左側を中心に遊技盤を回動させながら遊技盤の右側縁部を遊技盤固定装置に嵌めて遊技盤を固定するようにしている。
【０００３】
そして、この種の遊技盤固定装置として、例えば、特許文献１に示されているようなものがある。すなわち、特許文献１に示された固定装置は、被固定部に固定されるベース部材２と、ベース部材２に第１枢軸を介して回動可能に枢支された第１挟持部材４と、第１挟持部材４に第２枢軸１３を介して回動可能に枢支された第２挟持部材５と、第１挟持部材４に第３枢軸１２を介して回動可能に枢支され、開放時に開放操作されるアンクランプ部材６とによって構成されている。そして、遊技盤を固定するにあたり、遊技盤の縁部を第１挟持部材４と第２挟持部材５との間に挿入して回動させ、最終的に、ばね部材１６で付勢されたアンクランプ部材６で第１挟持部材４と第２挟持部材５を押さえ込むことで遊技盤を固定するようにしている。また、アンクランプ部材６を開放する場合、手でアンクランプ部材６を操作して行うことになる。
【先行技術文献】
【特許文献】
【０００４】
【特許文献１】特開２００９−２９７２９８号公報
【発明の概要】
【発明が解決しようとする課題】
【０００５】
しかしながら、特許文献１に記載された遊技盤固定装置のように、アンクランプ部材６にばね部材の強力な付勢力を利用すると、アンクランプ部材６によって第１挟持部材４と第２挟持部材５を押さえ込んで遊技盤を固定する際、その強力な付勢力に抗するような力を加えることが必要になる。また、クランプ部材６を開放し遊技盤を取り外す時も、ばね部材の強力な付勢力に抗するような力を加えることが必要になる。すなわち、遊技機に遊技盤を固定する作業において、無駄な労力を強いられることになる。
【０００６】
そこで、本発明は前記課題を解決すべくなされたもので、遊技機に遊技盤を固定する、あるいは遊技機から遊技盤を取り外すにあたり、これら作業を弱い力で行うことを可能とし、しかも弱い力で固定した遊技盤が外れてしまうといったことがない遊技盤固定装置を提供することを目的とする。
【課題を解決するための手段】
【０００７】
かかる目的を達成するため本発明に係る遊技盤固定装置は、遊技機本体前面の所定箇所に取着される基板と該基板の両側縁の各々から起立する側板とによって形成されたベース部材と、前記ベース部材の両側板に第一支軸によって回動自在に軸着され遊技盤の側縁部を受け入れる嵌合凹部が設けられた狭着部材と、前記挟着部材に第二支軸によって回動自在に軸着され該狭着部材の回動をガイドすると共に所定位置に固定させるロック部材とを備えた遊技盤固定装置であって、前記ベース部材の側板には、前記第一支軸を曲率中心とする円弧状長孔が穿設されていると共に、該円弧状長孔と連続し該円弧状長孔とは異なる方向に延びるロック孔が穿設されており、他方、前記ロック部材には、前記ベース部材の円弧状長孔とロック孔を摺動するロックピンが設けられ、前記ロック部材のロックピンが前記ベース部材のロック孔に嵌まることで、前記挟着部材の回動が所定位置に固定されるようにしたことを特徴としている。
【０００８】
また、本発明に係る遊技盤固定装置のロック孔は、第二支軸を曲率中心とする円弧状に形成されていることを特徴としている。
【発明の効果】
【０００９】
本発明に係る遊技盤固定装置によれば、遊技機に遊技盤を固定する、あるいは遊技機から遊技盤を取り外す際、きわめて弱い力で行うことが可能である。しかも弱い力で固定したにもかかわらず、一旦遊技盤が固定されると、遊技盤固定装置が解除されて遊技盤が外れてしまうとこともない。
【図面の簡単な説明】
【００１０】
【図１】遊技盤が装着された状態を示すパチンコ遊技機の正面図。
【図２】遊技盤固定装置の斜視図。
【図３】遊技盤固定装置の分解斜視図。
【図４】遊技盤固定装置の側面図。
【図５】（イ）乃至（ハ）は遊技盤固定装置の動作説明図。
【発明を実施するための形態】
【００１１】
以下、本発明に係る遊技盤固定装置の実施の形態を図面に基き説明する。なお、遊技盤固定装置は、例えばパチンコ遊技機、雀球機、アレパチ機等の種々の遊技機に適用可能であるが、本実施の形態では、パチンコ遊技機を例として説明する。そこで、まず、本発明に係る遊技盤固定装置が適用されるパチンコ遊技機についてあらかじめ説明しておく。図１は遊技盤が装着された状態を示すパチンコ遊技機の正面図である。パチンコ遊技機Ｐは、遊技機本体１００と該遊技機本体１００の前面にその左側を軸着して開閉自在に装着される透明板保持枠１０１とから構成されている。
【００１２】
遊技機本体１００は、長方形状の機枠１０２と、その前面に左側を軸着して開閉自在に装着される本体枠１０３とからなる。本体枠１０３の前面上部に、後方へ窪んで遊技盤１０４をその前側から取り付けまたは取り外すことができる方形状の遊技盤収納凹部１０５が形成されている。また、本体枠１０３の下部前面に、右側に寄せて打球発射レール１０６及び該打球発射レール１０６に供給される遊技球を遊技盤１０４の遊技部１０４ａに打ち込むための打球発射装置１０７が配置される。更に、その左側には、零れ球やファール球を受け入れ後記する下球皿１０９に排出する遊技球集合通路樋１０８が配置される。本体枠１０３の下部前面には、下球皿１０９が装着されると共にその右側に前記打球発射レール１０６から発射される遊技球の打球力を調整するための打球力調整ハンドル１１０が装着されている。
【００１３】
遊技盤１０４の前面には内側ガイドレール１１１ａと外側ガイドレール１１１ｂが略渦巻き状に敷設され、内側・外側ガイドレール１１１Ａ１ｂに囲まれるようにして遊技部１０４ａが形成される。この遊技部１０４ａには、その中央部に盤面部品として図柄を変動表示する可変表示装置１１２が配設され、その下方に遊技球の入賞により該可変表示装置１１２が作動する始動入賞口１１３が配設される。また、その下方に前記図柄が特定の図柄（例えば、「７７７」）に揃って「大当り」という遊技者に有利な特別遊技状態となったとき、一定の条件の下で開成し一度に多くの入賞球を発生させる入賞装置１１４が配設されている。遊技部１０４ａの中央最下部には、アウト球を遊技盤１０４の後側へ排出するためのアウト球排出口１１５が開設されている。なお、図中１１６は通常入賞口、１１７は遊技球の流下方向を変更させ遊技の面白みを高めるための風車である。
【００１４】
前記透明板保持枠１０１は、遊技盤１０４の前面を覆うようにして前記本体枠１０３の上部前面に装着される。透明板保持枠１０１は前面に遊技盤１０４の遊技部１０４ａを覗く窓開口１１８が開設され、その後側に窓開口１１８を塞ぐようにして一対の透明板を平行に配設してなる透明板ユニット１１９が装着されている。また、透明板保持枠１０１の下部前面に、賞球としての遊技球を貯留し前記打球発射レール１０６に供給するための上球皿１２０が装着されている。そして、上球皿１２０から打球発射レール１０６に供給された遊技球はその発射位置に停止し、その状態で打球力調整ハンドル１１０を所望の位置まで回動することにより、打球発射装置１０７が作動して打球発射レール１０６の上面に停止する遊技球を打球する。これにより、該遊技球は内側・外側ガイドレール１１１Ａ１ｂ間を飛走して遊技盤１０４前面の遊技部１０４ａに打ち込まれる。
【００１５】
前記本体枠１０３の前面に形成された遊技盤収納凹部１０５は前後方向の深さが遊技盤１０４が嵌り込む程度の寸法を有し、底壁すなわち遊技盤取付面１０５ａの中央部は開放している。そして、遊技盤収納凹部１０５を前側から見て左側の上下縁部に、それぞれ遊技盤１０４の左側縁部を挟んで固定する挟装部材１２１，１２１が取着されている。各挟装部材１２１は、例えば弾性を有する金属帯板から成形され、遊技盤収納凹部１０５を前側から見て右側が解放する平面略コ字状に形成されている。
【００１６】
そして、遊技盤収納凹部１０５の正面視にて右側の上下縁部に、それぞれ遊技盤１０４の右側の上縁部と下縁部とをそれぞれ挟んで固定する遊技盤固定装置Ａ，Ａが取着されている。なお、ここで示した例では、各遊技盤固定装置Ａを縦向きにして遊技盤１０４の上下縁部を挟むように配置したが、横向きにして遊技盤１０４の右側縁部を挟むように配置しても良い。また、挟装部材１２１，１２１の位置及び遊技盤固定装置Ａ，Ａの位置をそれぞれ左右逆に配置しても良い。
【００１７】
図２は、本実施形態に係る遊技盤固定装置Ａの斜視図、図３はその分解斜視図である。実際、この遊技盤固定装置Ａが遊技盤１０４に取り付けられる場合、図２及び図３における上側が正面〈前側〉、下側が遊技盤取付面１０５ａに取り付ける側（後側）となる。
【００１８】
遊技盤固定装置Ａは、遊技盤収納凹部１０５の遊技盤取付面１０５ａに取着されるベース部材１と、第一支軸２によってベース部材１に回動自在に軸着される狭着部材３と、狭着部材３の内側に配置される押圧バネ４と、第二支軸５によって狭着部材３に回動自在に軸着されるロック部材６と、ベース部材１及びロック部材６の双方に挿通されるロックピン７と、ロック部材６の内側に配置される規制バネ５０とによって概略構成されている。なお、この実施形態で遊技盤固定装置Ａを説明するにあたり、便宜上、図３に示されているものを基準とし、「前側」とは押圧バネ４が位置する側、「後側」とはロック部材６が位置する側、「右側」とは図３の手前側、「左側」とは図３の奥側、「上下」については図３の上下をそれぞれ指すこととする。
【００１９】
前記ベース部材１は、遊技盤取付面１０５ａに取付けられる基板１１と、基板１１の両側縁から直角に起立する平行な一対の側板１２，１２とからなり、基板１１には、その両側縁略中央に螺子１３を挿通するための螺子挿通孔１４を設けた取付片１５，１５が形成されている。また、側板１２，１２は、その前縁であって上下方向の略中央に第一支軸２が挿通される第一軸孔１６，１６が開設されている。さらに、側板１２，１２は、基板１１と接する下側辺よりも、それと対向する上側辺の方が短く設定されており、上側辺の前縁から第一軸孔１６のやや上側までが斜めに切り欠かれている。また、側板１２，１２には、ロックピン７が挿通される上下方向に縦長な円弧状長孔１７，１７と、この円弧状長孔１７，１７の上方に連続するロック孔１８，１８とが穿設されている。そして、図４に示すように、円弧状長孔１７，１７は、第一支軸２，２を曲率中心とする円弧状の軌跡上に位置するように穿設されており、ロック孔１８，１８は、第二支軸５を曲率中心とする円弧状の軌跡上に位置するように穿設されている。すなわち、ロック孔１８，１８は、円弧状長孔１７，１７とは異なる方向、具体的には、円弧状長孔１７，１７の円弧状の軌跡から逸脱する方向に延びるように穿設されている。
【００２０】
前記狭着部材３は、一対の中央側板部２１，２１と、該中央側板部２１，２１の上下両側からそれぞれ同じ方向へ平行に延びる上側の側板部２２，２２と下側の側板部２３，２３と、上側の側板部２２，２２の先端間を互いに連結した連結板部２４とによって側面視略コ字状に形成されている。そして、中央側板部２１，２１、上側の側板部２２，２２、及び下側の側板部２３，２３とで略コ字状に囲まれた嵌合凹部２５に、遊技盤１０４の側縁部が受け入れられることになる。なお、上側の側板部２２と下側の側板部２３の間の内法は、遊技盤１０４の誤差を含めた厚さ寸法より若干広く設定されている。また、中央側板部２１，２１には、その略中央部に第一支軸２を挿通する軸孔２６，２６が開設されており、該軸孔２６，２６のやや上側に互いに向き合うように内側へ屈曲させた切り起し片２７，２７が形成されている。また、中央側板部２１，２１の後側縁には、互いに向き合うように内側へ屈曲させた壁板部２８，２８が形成されている。さらに、上側の側板部２２，２２の後端部には第二支軸５を挿通する第二軸孔２９，２９が開設されている。また、連結板部２４の下端から上側の側板部２２，２２の側縁間にかけて、嵌合凹部２５に沿うように屈曲し嵌合凹部２５の内面となる遊技盤押え部３０が張設されている。さらに、下側の側板部２３，２３の前側下端には、互いに向き合うように内側へ屈曲させたバネ載置片３１，３１が形成されている。なお、この狭着部材３は、その中央側板部２１，２１がベース部材１の側板１２，１２の内側に介在するように配置されている。
【００２１】
前記狭着部材３の中央側板部２１，２１と下側の側板部２３，２３の間には押圧バネ４が配置されている。この押圧バネ４は、薄い弾力性のある帯板の２箇所を湾曲状に折曲して側面略Ｊ字状に形成されており、その先端部は、狭着部材３に受け入れられ固定された遊技盤１０４を前方に付勢するための押圧部３５となっている。また、押圧バネ４の両側縁には、直角に屈曲形成された取付片３６，３６が設けられていて、該取付片３６，３６には第一支軸２を挿通する挿通孔３７，３７が開設されている。
【００２２】
前記ロック部材６は、ロック基板４０と、該ロック基板４０の両側縁から直角に屈曲し平行をなす一対のロック側板４１，４１とからなっており、該ロック側板４１，４１の後端部は、下方に突出する当接部４１ａ，４１ａとなっている。また、ロック基板４０の先端部には、ロック部材６を操作する際に指を掛ける摘み片４２が形成されている。さらに、ロック側板４１，４１の略中央部には、狭着部材３の上側の側板部２２，２２の第二軸孔２９，２９と合致し第二支軸５が挿通される軸孔４３，４３が開設されており、そのやや後側には、ベース部材１の円弧状長孔１７，１７及びロック孔１８，１８と合致しロックピン７が挿通されるピン軸孔４４，４４が開設されている。このロック部材６は、そのロック側板４１，４１が狭着部材３の上側の側板部２２，２２の内側に介在すると共に、その当接部４１ａ，４１ａが狭着部材３の壁板部２８，２８の後方に位置するように配置されている。なお、ロック部材６と挟着部材３を軸支する第二支軸５には、比較的付勢力の弱い規制バネとしてのネジリコイルバネ５０が巻装されている。
【００２３】
次に、上記のように構成された遊技盤固定装置Ａの組み立て方法について説明する。まず、狭着部材３の上側の側板部２２，２２間にロック部材６のロック側板４１，４１を配置し、狭着部材３の第二軸孔２９，２９及びロック部材６の軸孔４３，４３に第二支軸５を挿通し、ロック部材６を狭着部材３に回動自在に軸着する。この時、第二支軸５にネジリバネ５０を巻装しておく。すなわち、ネジリバネ５０のリング部５０ａ内に第二支軸５を挿通しておくと共に、ネジリバネ５０の先端部５０ｂ，５０ｂを狭着部材３の切り起し片２７の下側に係止しておく。次いで、ベース部材１の側板１２，１２間にロック部材６が軸支された状態の狭着部材３を配置する。そして、狭着部材３の中央側板部２１，２１及び下側の側板部２３，２３間に押圧バネ４を配置し、ベース部材１の第一軸孔１６，１６、狭着部材３の軸孔２６，２６、及び押圧バネ４の挿通孔３７，３７に第一支軸２を挿通し、狭着部材３をベース部材１に回動自在に軸着する。次に、ベース部材１のロック孔１８，１８、及びロック部材６のピン軸孔４４，４４にロックピン７を挿通する。この時、ネジリバネ５０の他端部５０ｃがロックピン７の下側に位置するようにする。最後に、第一支軸２、第二支軸５、ロックピン７の端部にＣリングを装着して完成する。
【００２４】
このようにして組み立てた２つの遊技盤固定装置Ａ，Ａをパチンコ遊技機Ｐの遊技盤取付面１０５ａの右側上下に、それぞれの嵌合凹部２５，２５が対向するようにして配置する。そして、ベース部材１の基板１１を遊技盤取付面１０５ａに密着させ、その取付片１５の螺子挿通孔１４に螺子１３を螺着することによって遊技盤取付凹部１０５へ取付ける。
【００２５】
次に、パチンコ遊技機Ｐの遊技盤収納凹部１０５に遊技盤１０４を装着する方法を説明する。図５（イ）乃至（ハ）は遊技盤固定装置Ａの動作説明図である。まず、遊技盤取付面１０５ａに取付けられた各遊技盤固定装置Ａ，Ａの狭着部材３を遊技盤１０４が受け入れられる傾動位置に保持させる。具体的には、ロック部材６の摘み片４２をネジリバネ５０の付勢に抗して後方へ押して回動させる。このとき、図５（イ）に示すようにロックピン７は、ベース部材１のロック孔１８の係合から外れて円弧状長孔１７に位置している。
【００２６】
この状態で、遊技盤１０４の後面が遊技盤取付面１０５ａに対向するようにし、遊技盤１０４を遊技盤収納凹部１０５の下縁段部１０５ｂの上面に載せ、遊技盤１０４の左側縁部を遊技盤収納凹部１０５の左側に取着された挟装部材１２１，１２１内に押し込む。そして、遊技盤１０４の左側縁部を中心として遊技盤を回動させながら、遊技盤１０４の右側縁部を遊技盤固定装置Ａの狭着部材３の嵌合凹部２５にある押圧バネ４に当接させる。
【００２７】
後は、遊技盤１０４を後方へ軽く押してやればよい。すなわち、遊技盤１０４を後方へ押すことによって、図５（ロ）に示すようにロックピン７，７が円弧状長孔１７，１７を摺動しロック孔１８，１８へと移動する。これに伴って、ロック部材６が回動すると共に、ロック部材６の当接部４１ａが狭着部材３の壁板部２８を押すことで狭着部材３も回動する。そして、図５（ハ）に示すようにロックピン７，７が円弧状長孔１７，１７からロック孔１８，１８へと移動すると、ネジリバネ５０がロック部材６を狭着部材３側へ付勢するため、遊技盤１０４が遊技盤収納凹部１０５内に収納される。この時、ベース部材１のロック孔１８，１８にロック部材６のロックピン７が係止した状態となり、狭着部材３は遊技盤１０４が固定される固定位置に停止保持される。すなわち、ロック孔１８，１８は、狭着部材３を回動させる第一支軸２を曲率中心とする円弧状長孔１７，１７と異なる方向に延びている、換言すれば、ロック孔１８，１８は、挟着部材３を回動させる第一支軸２を曲率中心としていないため、ここにロックピン７が嵌まると、挟着部材３が回動できなくなってロックされることになる。なお、この実施形態では、付勢手段としてのネジリコイルバネ５０を設けたことで、ロックピン７が円弧状長孔１７，１７からロック孔１８，１８へと移動するのをスムーズにすると共にロックを強固にしているが、必ずしも付勢手段を設けなければならないわけではない。すなわち、ロック孔１８，１８を円弧状長孔１７，１７と異なる方向へ延ばしたことでロック機能は十分に果たされることになる。
【００２８】
次に、パチンコ遊技機Ｐから遊技盤１０４を前側へ取り外す場合について説明する。図５（ハ）の状態において、遊技盤１０４の各遊技盤固定装置Ａにおけるロック部材６の摘み片４２をネジリコイルバネ５０の付勢に抗して後方へ回動させる。これによって、ロックピン７がロック孔１８，１８を越えて円弧状長孔１７，１７へと移動すると、ロック部材６の当接部４１ａが挟着部材３の壁板部２８を押し、挟着部材３も回動する（図５（ロ））。そして、この狭着部材３を回動させる動作に伴い、遊技盤１０４の右側縁の後面が狭着部材３の下側側板部２３の先端部によって前方へ押し出される。この際、遊技盤１０４の後面は押圧バネ４によっても前方へ付勢されているので、遊技盤１０４が出易い。このようにして遊技盤１０４の右側縁部は前方へ取り外される。
【符号の説明】
【００２９】
Ａ                  遊技盤固定装置
１                  ベース部材
２                  第一支軸
３                  狭着部材
５                  第二支軸
６                  ロック部材
７                  ロックピン
１１                基板
１２                側板
１７                円弧状長孔
１８                ロック孔
２５                嵌合凹部
１００              遊技機本体
【図１】
2016052397.tif 000003
【図２】
2016052397.tif 000004
【図３】
2016052397.tif 000005
【図４】
2016052397.tif 000006
【図５】
2016052397.tif 000007